(57)【特許請求の範囲】
【請求項１】
エネルギー場を発生するのに適した呼びかけ発信／受信装置とメモリを有する集積回路を備えた少なくとも一つのトランスポンダの間の通信システムであって、
初期化への応答において、トランスポンダがとくにその抑止モードの特性情報（ＭＯＤ）と、その間に呼びかけ装置が書き込まれたモード（ＭＯＤ）に従って一つまたは複数の抑止命令を送ることのできる、２つのメッセージの間の待機期間（ＰＶ）の継続時間を定義する情報（ＲＲ）を有する搬送メッセージ（ＡＴＲ）を送り、集積回路が呼びかけ装置から送られた抑止命令信号を受信できる待機期間（ＰＶ）内に少なくとも一つの受信窓（ＦＥ）を開けることを特徴とするシステム。
【請求項２】
メッセージ（ＡＴＲ）送信後、トランスポンダがその識別を可能にする情報（ＣＭＩＤ、ＴＭＩＤ、ＡＰＩＤ、ＴＩＤ、ＣＲＣ）、とくにトランスポンダの種類の特性情報（ＴＩＤ）を送ることを特徴とする請求項１に記載の通信システム。
【請求項３】
一つまたは複数の受信窓（ＦＥ）を開ける瞬間がトランスポンダの種類（ＴＩＤ）と待機期間（ＰＶ）の継続時間を定義する情報（ＲＲ）に応じて呼びかけ装置のメモリ内に記録されることを特徴とする請求項１または２のいずれか一つに記載の通信システム。
【請求項４】
受信窓（ＦＥ）が、連続するか否かを問わず一つまたは複数の待機期間（ＰＶ）内で開けられることを特徴とする請求項１から３のいずれか一つに記載の通信システム。
【請求項５】
集積回路の待機期間（ＰＶ）が固定または可変の継続時間であることを特徴とする請求項１から４のいずれか一つに記載の通信システム。
【請求項６】
待機期間（ＰＶ）の継続時間が固定であるとき、好適には１バイトのそれに対応し、それぞれの受信窓（ＦＥ）の開く瞬間は対応する待機期間（ＰＶ）を定義するバイトの所定のビットの位置によって定義されることを特徴とする請求項１から５のいずれか一つに記載の通信システム。
【請求項７】
それぞれの待機期間（ＰＶ）の継続時間が可変であるとき、それは１ビットの継続時間と１６ビットのそれの間に含まれ、疑似ランダムシーケンスによって決定され、それぞれの受信窓（ＦＥ）の開く瞬間は、疑似ランダムシーケンスに従って、対応する待機期間（ＰＶ）の所定のビットの位置によって定義されることを特徴とする請求項１から５のいずれか一つに記載の通信システム。
【請求項８】
抑止命令が短時間の間、呼びかけ装置によって発生したエネルギー場を消すことから成ることを特徴とする請求項１から７のいずれか一つに記載の通信システム。
【請求項９】
呼びかけ装置が受信窓（ＦＥ）の内部で、切断パルス（ＰＣＩ）の形で、所定の数の抑止命令を送ることを特徴とする請求項１から８のいずれか一つに記載の通信システム。
【請求項１０】
トランスポンダの集積回路の様々な抑止モードが：全体最終抑止、部分最終抑止、全体一時抑止と部分一時抑止であることを特徴とする請求項１から９のいずれか一つに記載の通信システム。
【請求項１１】
抑止が一時的であるとき、呼びかけ装置が開始と終わりを命令することを特徴とする請求項１から１０のいずれか一つに記載の通信システム。
【請求項１２】
抑止が一時的であるとき、その継続時間が集積回路内部のクロックによって調節されることを特徴とする請求項１から１０のいずれか一つに記載の通信システム。
【請求項１３】
無線通信システムから成ることを特徴とする請求項１から１２のいずれか一つに記載の通信システム。
【請求項１４】
赤外線通信システムから成ることを特徴とする請求項１から１２のいずれか一つに記載の通信システム。
【請求項１５】
集積回路が読込みのみの、受動型であることを特徴とする請求項１から１４のいずれか一つに記載の通信システム。
【発明の詳細な説明】
本発明は呼びかけ発信／受信装置と情報を含む複数個の応答電子ラベルの間の通信システムに関するものである。本発明はすべての無線周波数（ＲＦ）通信システムだけでなくすべての赤外線（ＩＲ）通信システムにも適用される。かかるシステムにおいて、呼びかけ装置はそれに呼びかけるために一つまたは複数のラベルに向かって既定の手順にしたがって信号を発信する。
かかるシステムはとくにバッジを所持する個人、高速道路料金支払いバッジを所有する車両さらにまたは保管されるか店舗で販売される商品の認識に使用される。
用途によってはバッジと呼ばれる電子ラベルは、より一般的には「トランスポンダ」（送信機／応答機）と呼ばれるが、それはその主たる役割がとくに呼びかけ装置の命令に応じて情報を送信することにあるからだ。したがって、以下の説明においてこれらの電子ラベルまたはバッジを常にトランスポンダと称するものとする。
トランスポンダの通信パラメータは一般的に固定され、したがって、それに内蔵されている集積回路の動作はそのライフサイクルの残りの間固定されている。
しかしながら、この固定された動作は、トランスポンダの環境条件に適合させることができないので不便である。しかるに例えば、トランスポンダが置かれた電磁場の妨害のレベルに応じて、あるいは周期的に発生する恐れのあるノイズに応じて送信速度または集積回路の発信シーケンスの時間などの特定のパラメータを変化させるのが有利なことがしばしばある。
くわえて、商品の保管や販売さらにまた郵便小包の発送などの、数多くの用途において、ラベルを付けた製品の推移を追跡する必要がある。製品の推移はとくにメンテナンス契約などの際に定期的に追跡される。
しかしながら、場合によっては、提供者によって許可されていない場合、ラベルを付けた製品の使用または再使用を禁止するためにトランスポンダの集積回路の一時的または最終的抑止を引き起こすことが必要なことがあり得る。
同様に、例えば、ラベルの付いた製品を購入するとき、店舗の出口に設置した検出器の警報を作動させないためにトランスポンダの集積回路の一時的抑止を引き起こすのが有利なことがある。
かかる一時的抑止は例えば、製品のメンテナンスなどの作業を実施することができるように集積回路のその後の再開を可能にする。
この場合、呼びかけ装置は製品の購入日や保証期限を知るために集積回路のメモリ内を読み込むことができる。必要ならば、集積回路がそれを許す場合、製品に対してなされた様々な介入に関して、集積回路のメモリ内に情報を書き込むこともできるだろう。
くわえて、不正防止作業の一貫として、ラベルを付けた製品の一切の不当な再使用を防止するようにトランスポンダの集積回路の最終的抑止を引き起こすことが望ましいであろう。
すでに、現在、抑止を可能にする通信システムは存在する。例えば、特許出願ＰＣＴ ＷＯ ９２／２２０４０は、あるトランスポンダからの呼びかけの際に、他のトランスポンダが瞬間的に抑止されるトランスポンダ識別システムを記載している。
そのため、トランスポンダはそれぞれ制御および順序回路と抑止手段を備えている。それぞれのトランスポンダが受信した情報は復号され、それを管理し制御する制御および順序回路に送られる：それはとくに送信される応答とトランスポンダの抑止モードへの移行について決定する。トランスポンダの抑止モードへの移行を決定したとき、それは抑止手段に命令信号を送信する。
集積回路の抑止を引き起こすためのかかる制御回路は、しかしながら、高価であり、したがって、いわゆる経済的、すなわち原価の低いトランスポンダには内蔵できない。
したがって、呼びかけ装置から経済的なトランスポンダの集積回路の抑止を命令することを可能にする手段を見つけなければならなかった。
くわえて、課されたもう一つの問題は、多くの場合、経済的なトランスポンダは呼びかけ装置によって発生した、無線または赤外線信号の電源エネルギーを派生する受動的電子装置によって構成されていることにある。かかる装置は２つの接点でアンテナに接続された、読取専用集積回路によって実現されている。
したがって、この場合、これらの集積回路のメモリ領域内に書き込む可能性なしに、呼びかけ装置から、集積回路の抑止を命令する手段を見つけなければならなかった。
本発明は用途に対応する抑止モードがトランスポンダがその初期化の際に呼びかけ装置に送られるメッセージ内に記憶される、呼びかけ装置からトランスポンダの集積回路の制御された抑止を引き起こすための簡単な技術と経済的工学を実施することから成る解決を提案する。
本発明はとくにエネルギー場を発生するのに適した呼びかけ発信／受信装置と、メモリを有する集積回路を備えた少なくとも一つのトランスポンダの間の通信システムにおいて、初期化への応答において、トランスポンダがとくにその抑止モードの特性情報（ＭＯＤ）と、その間に呼びかけ装置が書き込まれたモード（ＭＯＤ）に従って一つまたは複数の抑止命令を送信することのできる、２つのメッセージの間の待機期間（ＰＶ）の継続時間を定義する情報（ＲＲ）の搬送メッセージ（ＡＴＲ）を送信することを主たる特徴とするシステムを目的とする。
本発明の別の特徴によれば、メッセージ（ＡＴＲ）送信後、トランスポンダはその識別を可能にする情報（ＣＭＩＤ、ＴＭＩＤ、ＡＰＩＤ、ＴＩＤ、ＣＲＣ）を送信する。
本発明の別の特徴によれば、集積回路は呼びかけ装置から送られた抑止命令信号を受信できる待機期間ＰＶ内に、少なくとも一つの受信窓ＦＥを開ける。
本発明の別の特徴によれば、一つまたは複数の受信窓（ＦＥ）を開ける瞬間はトランスポンダの種類（ＴＩＤ）と待機期間（ＰＶ）の継続時間を定義する情報（ＲＲ）に応じて呼びかけ装置のメモリ内に記録される。
本発明の別の特徴によれば、受信窓ＦＥは連続するか否かを問わず一つまたは複数の待機期間ＰＶ内で始動される。
本発明の別の特徴によれば、集積回路の待機期間ＰＶは固定または可変時間である。
これらの待機期間ＰＶの持続時間が固定であるとき、好適には１バイトのそれに対応し、それぞれの受信窓ＦＥの開く瞬間は対応する待機期間ＰＶを定義するバイトの所定のビットの位置によって定義される。
反対にこの待機期間ＰＶが可変であるとき、それは１ビットの継続時間と１６ビットのそれの間に含まれ、疑似ランダムシーケンスによって決定され、それぞれの受信窓ＦＥの開く瞬間は疑似ランダムシーケンスに従って、対応する待機期間ＰＶの所定のビットの位置によって定義される。
本発明の別の特徴によれば、抑止命令は、短時間の間、呼びかけ装置によって発生したエネルギー場を消すことから成る。
好適には、呼びかけ装置は受信窓ＦＥの内部で、切断パルス（ＰＣＩ）の形で、所定の数の抑止命令を送る。
トランスポンダの集積回路の様々な抑止モードは：全体最終抑止、部分最終抑止、全体一時抑止と部分一時抑止である。
この通信システムのおかげで、トランスポンダの集積回路は、その種別（読込み／書込みまたは読込みのみ）を問わず、呼びかけ装置によって発生した電磁または赤外線型の、エネルギー場の発生と消失を検出することができる。なぜなら、能動型の集積回路の場合、それは十分知能があるので場の変更を検出できるが、受動型の集積回路の場合、この場がその作動の必要条件になる。
抑止命令は電磁または赤外線の場の変更によって実現される。この変更は実際的に場の切断を実現することから成る。好適には、これらの切断はトランスポンダの集積回路の受信窓に応じてシーケンスに従って適用される。
この様にして、抑止命令は例えば、一つの応用の中の特定の集積回路または集積回路群に送信される。
この様にして送信された抑止命令は集積回路のメモリ内で情報のすべての変更を禁止することができる。
本発明によるシステムは非常に低コストで経済的なトランスポンダを使用することを可能にするが、それは受動型の集積回路、すなわち読込みのみの、また通常読込み−書込み型の集積回路に備えられる復調および復号回路を一切持たない、また制御回路や抑止を引き起こすための抑止手段も持たない回路だけをベースとして製造できるからである。
本発明のその他の特徴と利点は付属の図面を参照して例として挙げた以下の非制限的説明を読むことによって明らかになるだろう。
図１はトランスポンダの集積回路のメモリ構成を示している。
図２は呼びかけ装置と経済的トランスポンダの間の抑止コマンド送信を示す原理図である。
以下の説明において、説明される通信システムは無線（ＲＦ）通信システムである。しかしながら、本発明はこの種のシステムに限定されるものではなく、同様にして赤外線通信システムにも適用できる。
ＲＦ通信システムの場合、トランスポンダ内に内蔵された整流ブリッジが呼びかけ装置によって発生した無線信号から電源エネルギーを抽出することができる。トランスポンダの端子で得られた電圧レベルがトランスポンダの電源電圧に対応する所定の値に達したとき、トランスポンダは覚醒または初期化し、そのデータを呼びかけ装置に送り始める。
呼びかけ装置に伝達されるためのデータはトランスポンダの集積回路の少なくとも一つの不揮発性メモリＭＮＶ内に保存される。この不揮発性メモリは電気的にプログラムできるＥＥＰＲＯＭ型および／または読み込みだけのＲＯＭまたはＰＲＯＭ型である。このメモリＭＮＶの構成は図１に示した。
集積回路の不揮発性メモリは複数のエリアに分割され、その中にデータが保存される。数バイトから成る、ＡＴＲ（英語の"Answer to Reset"から）と称する第一のエリアは交換手順と集積回路の特性情報をまとめたメッセージを定義する。このメッセージはトランスポンダの初期化に応じて呼びかけ装置に向けて発信される。
その他のエリアＣＭＤＩ、ＴＭＩＤ、ＡＰＩＤ、ＴＩＤおよびＣＲＣを備えて、それぞれ集積回路製造者、トランスポンダ製造者、応用、トランスポンダの種類、または例えば、エラー制御回路を定義することができる。
集積回路の製造者名またはトランスポンダのそれは類似のチップまたはトランスポンダの実現に対抗して戦うために有益である。
ＴＩＤ情報は重要である、なぜなら特定のデータはとくに使用されるトランスポンダの種類に応じて呼びかけ装置のメモリ内に記録されるからである。さらにその他のエリアを備えてその他のデータを保存することができる。
エリアＡＴＲのメッセージはとくに集積回路の抑止モードの特性情報ＭＯＤを含んでいる。好適にはこの情報は集積回路のメモリの内容の読取り処理を加速し、呼びかけ装置による復号を容易にするためにＡＴＲの先頭に置かれる。
４つのタイプの抑止が可能である、すなわち全体最終抑止、部分最終抑止、全体一時抑止と部分一時抑止である。集積回路が抑止されているか否かを定義し、抑止されているならば、その抑止モードを決定するために、情報ＭＯＤは好適には３ビットで符号化される。さまざまな抑止モードの応用とその命令は以下にもっと詳しく説明する。
一方、メッセージＡＴＲの別の情報ＭＳは集積回路のメモリサイズの定義を可能にする。本発明の実施態様において、この情報は例えば、３ビットで符号化できる。したがって、この情報によって呼びかけ装置はトランスポンダの集積回路との対話を改善することができる。この様にして、例えば、８０ビットと１６Ｋビットの間に含まれるメモリサイズの値を符号化できる。有利には、符号化されたＭＳ情報に対応するこれらの値は、呼びかけ装置のメモリ内に保存される。
他方で、情報ＲＲは集積回路と呼びかけ装置の間でのデータの送信の実施方法を決定することができる。実際、周期的に発生する、工業的発生源の特定のタイプの電波ノイズを防止するために、集積回路のメモリ内容の送信が、これも待機期間ＰＶと呼ばれ、休止間隔によって分離され、反復的に実現されるのが有利である。
この待機期間ＰＶの間に、集積回路のメモリの内容は読み込まれない。これらの時間の長さは固定または可変で定義される。したがって、ＡＴＲの１ビットは呼びかけ装置にデータ送信のためにプログラムされた反復の種類について知らせることを可能にする。
したがって、情報ＲＲを符号化するビットが例えば、０であるとき、待機期間ＰＶの長さは固定で、例えば、１バイトのそれに対応する。その間集積回路が目覚めている、すなわち呼びかけ装置からの抑止命令を検出することのできる、集積回路の受信窓ＦＥはこれらの待機期間ＰＶの中で定義される。それぞれの受信窓ＦＥが開く瞬間は、対応する待機期間ＰＶのバイトの１ビットの位置で定義される。
情報ＲＲを符号化するビットが１である反対の場合には、待機期間ＰＶの継続時間は可変であり、１ビットの継続時間と１６ビットのそれの間に含まれる。集積回路の受信窓ＦＥはさらにこれらの待機期間内で疑似無作為的に定義される。
情報ＲＲの役割は以下により詳しく説明する。
最後に、情報ＤＲは送信容量、すなわちトランスポンダと呼びかけ装置の間の交換速度を決定する。それは実施される応用に従って集積回路が許容する最高送信速度の４つの異なる値を定義することができるように例えば、２ビットで符号化できる。それぞれの符号に対応する許容最高速度の値は有利には呼びかけ装置のメモリ内に記録される。
トランスポンダの最高送信速度の値を知ることによって、呼びかけ装置は電波の環境条件に従ってこの最高速度に対するその送信速度を調節することができる。これは、例えば、複数のトランスポンダの応答の間の衝突の問題を回避し、周期的ノイズを克服することを可能にする。
このように、電磁場が乱れたとき、装置は送信速度を落としてメッセージの解釈に起こり得るエラーを減らすことができる。
反対に、環境が好適であるとき、すなわち妨害が多くないとき、送信時間を最短に短縮するために速度を許容最高速度に上げることができる。実施例において、送信最高速度は毎秒１６５５ビット、または３３１０ビット、１３２４２ビットまたは２６４８４ビットに等しくすることができる。
例えば、輸送用途では、すなわち例えば、高速道路料金支払いの際に、集積回路は必然的にそのデータを高い最高速度で、例えば、毎秒２６４８４ビットの最高速度で通信しなければならない。反対に、メンテナンス契約の場合、この最高速度はラベルを付けた製品が動かないのでそれほど高くする必要がない、したがって、この場合には例えば、毎秒１６５５ビットまたは３３１０ビットに固定することができる。
メッセージＡＴＲ内に定義された特性情報は好適にはトランスポンダの初期化に応じて発信／受信呼びかけ装置に送信される。呼びかけ装置とトランスポンダの間の対話はつぎに質問−応答の形で、従来の仕方で行われる。
図２の方式は呼びかけ装置によるトランスポンダの集積回路の抑止命令送信原理を図示している。
抑止命令は短時間の間、呼びかけ装置によって発信された電磁場を少なくとも一度消すことから成る。命令の速度は図２にクロノグラムIIIで示した。命令は、図示したごとく、電磁場の切断パルスＰＣＩ１、ＰＣＩ２、ＰＣＩ３を含んでいる。パルスの数は任意であるが、集積回路のそれぞれの種類に応じてあらかじめ決定される。図２に示した例ではこの数は３に等しい。したがって、集積回路が電磁場停止の３つのパルスＰＣＩを検出したとき、自動的に抑止される。
しかしながら、これらの切断パルスはいつ実行しても良いわけではない。なぜなら、抑止される集積回路の受信の正確な瞬間に電磁場を変更する必要があるからだ。この受信の瞬間は受信窓ＦＥによって定義される。その継続時間は好適には１ビットのそれに等しい。それらは、メッセージＡＴＲ内の情報ＲＲ内に定義された待機期間ＰＶから決定される。
実際、情報ＲＲは集積回路のメモリ内容読込みを中断するための待機期間ＰＶを定義することができる少なくとも１ビットを含んでいる。この待機期間は情報ＲＲを符号化するビットの値に応じて固定または可変の長さである。
理解を助けるために、図２に示した例において、待機期間ＰＶは固定時間である。この場合、それぞれの待機期間ＰＶの継続時間は、１ビットが、周知の仕方で、きちんと定義された継続時間を有するとき、１バイトの継続時間に対応する。
有利には、第一の待機期間ＰＶ１は、第一の待機期間、したがってそれ以降の待機期間がトランスポンダごとに異なるように集積回路のエラー制御回路の特性情報ＣＲＣから発生する。
集積回路の受信窓ＦＥはこのとき集積回路が呼びかけ装置によって送信された抑止命令の信号に注意するように、待機期間ＰＶ内で、あらかじめ定められたときに開く。
それぞれの受信窓の継続時間は１ビットのそれに対応する。受信窓の開く時を定義するシーケンスは待機期間の１ビットの位置によって与えられる。有利には、このビットの位置は抑止に用いられる連続する３つの待機期間ごとに異なる。
このシーケンスは製造の際に集積回路内にプログラムされるだけでなく、トランスポンダの種類（情報ＴＩＤ）と待機期間ＰＶの継続時間を定義する情報ＲＲに応じて呼びかけ装置のメモリ内に記録される。
この様に図２に示した例において、集積回路の３つの受信窓ＦＥは固定時間長の３つの連続する待機期間ＰＶ１、ＰＶ２、ＰＶ３のビット２、６と４でそれぞれ始動される。
このことが意味するのは、ビットが０から７で番号を付けられ、ｎは窓ＦＥ１が開く瞬間に対応するビットの番号であるとき、第一の受信窓ＦＥ１が（ｎ＋１）ビットに等しい時間後に、すなわち第一の待機期間ＰＶ１内の３ビットの時間後に始動されることである。同様に、第二の受信窓ＦＥ２は第二の待機期間ＰＶ２内の７ビットの時間後に開かれ、第三の受信窓ＦＥ３は第三の待機期間ＰＶ３内の５ビットの時間後に開かれる。
したがって、集積回路が切断パルスＰＣＩ１、ＰＣＩ２、ＰＣＩ３の形で呼びかけ装置によって送信された３つの抑止命令を検出できるためには、この３つが連続する待機期間ＰＶ１、ＰＶ２、ＰＶ３のビット２、６および４によってそれぞれ定義される、対応する３つの受信窓ＦＥ１、ＦＥ２、ＦＥ３の間に実行される必要がある。
図示した例はすべてを網羅するものではなく、多くの変型実施態様が存在する。したがって、ある待機期間ＰＶが集積回路の複数の受信窓ＦＥを含むことも可能である。
くわえて、集積回路の受信窓は連続するか否かを問わず複数の待機期間の中で定義することができる。
変型実施態様によれば、待機期間ＰＶの継続時間は可変とすることができる。この場合、それは１ビットの継続時間と２バイトの継続時間の間に含まれる。
それぞれの待機期間の継続時間は、実際、疑似無作為的に決定されたシーケンスによって変化する。第一に、集積回路のエラー制御回路は呼びかけ装置に第一の待機期間ＰＶ１の継続時間とその始動時間を定義する情報を送る。次の待機期間の継続時間はつぎに、トランスポンダの種類に応じて、すなわち情報ＴＩＤに応じて呼びかけ装置のメモリ内に保存され、その製造の際に集積回路内にプログラムされた疑似ランダムシーケンスに従って定義される。このシーケンスは例えば、次の通りである：５ビット、１３ビット、１ビット、９ビット、４ビット、１２ビット、１６ビット、８ビット、７ビット、１５ビット、３ビット、１１ビット、６ビット、１４ビット、２ビットと１０ビット。
したがって、第一の待機期間の継続時間が例えば、９ビットに定義されたとき、次の時間は４ビットの継続時間を持ち、以下同様になるだろう。この様にして、待機期間はトランスポンダごとにすべて異なる。
継続時間が１ビットのそれに対応する受信窓ＦＥは１ビットの位置によって定義されたときに、待機期間ＰＶ内で開かれる。待機期間ＰＶの継続時間によって、受信窓ＦＥが開く時間を定義するビットが異なる。このビットは集積回路の製造の際にその中にプログラムされ、トランスポンダの種類（ＴＩＤ）とプログラムされた反復の種類（ＲＲ）に応じてプログラムされたシーケンスに従って疑似無作為的に選択される。このシーケンスは下表に示したとりである：
0004078462.tif 000002
したがって、集積回路の待機期間の長さが例えば、１４ビットの継続時間に対応するとき、集積回路はその製造の際に、対応する受信窓が６番目のビットで開くようにプログラムされる。
他方で、抑止が一時的であるとき、その継続時間は集積回路によって命令された待機に結びつけることができる。この待機は集積回路の内部クロックによって命じられる。トランスポンダの集積回路が受動型の集積回路である場合、受信した信号ＲＦは内部クロック発生回路を作動させることができる。
変型によれば、呼びかけ装置に集積回路の抑止の開始と終了を命令させるようにすることが可能である。この場合、抑止の終了は、電磁場の一つまたは複数の操作によって例えば、同じように命じることができる。
このシステムのおかげで、抑止命令は集積回路のメモリ内に何かを書き込む必要なしに集積回路に送信されるので、受動型の、すなわち例えば、読み込みのみの集積回路をベースに実現した経済的トランスポンダを抑止することが可能になる。
このシステムの応用は数多くあり、本発明の理解を助けるために数例を挙げるにとどめる。
例えば、コンピュータや複写機などのラベルを付けた商品を販売または保管する場合、店舗の出口に配置された検出器の警報を始動させないために、例えば、支払いのときに、あるいは輸送中に集積回路が作動しないため、倉庫から出すときに、トランスポンダの集積回路を抑止するのが有利なことがある。この場合、実現される抑止は、好適には一時的なものである。実際、例えば、その後のメンテナンス作業を実施するためにトランスポンダの集積回路を再起動できることが有益だと思われる。
一時抑止は全面的にすることが可能で、その場合、例えば、店舗の出口に配置された検出器は何も検出できないだろう。
しかしながら、場合によっては、集積回路の部分一時抑止を命令するのが好ましい。なぜなら、この部分抑止によって集積回路はそれが存在するが一時的に抑止されていることを示すメッセージを送り返すことができるからである。この様にして、店舗または倉庫の出口に配置された検出器はラベルの付いた製品の通過を検出しても、警報を発しないことができる。この様にして検出器は例えば、販売製品数を管理し、この数字がとくに倉庫の会計管理に使えることがある。
つぎに集積回路は集積回路の内部クロックによって、あるいは例えば、メンテナンス作業実施のためにその後使用される呼びかけ装置によって決められた一定時間後に再起動される。
これらのメンテナンス作業の際に、したがって、呼びかけ装置は集積回路のメモリの内容の中に、例えば、保証期限日などの情報を読み込むことができる。他方、集積回路によって可能な場合、呼びかけ装置は例えば、介入日付または製品に対して実施した操作に関する情報を、メモリ内に、書き込むように命令することができる。
もう一つの用途は、ラベルを付けた製品をいれた郵便小包発送に関するものである。この場合、小包が宛先に届いたことを確認し、それによって苦情があった場合の管理を容易にするために、宛先人による小包受領の際に一時的または最終的にトランスポンダの集積回路を抑止することに利益があるかもしれない。
最後に、その他の場合、ラベルを付けた製品の一切の無許可の再使用を防止するために最終的にトランスポンダの集積回路を抑止することが必要である。
最終的抑止は集積回路がその存在を示し、それが何もできないことを示すためのメッセージを常時発信するように部分的とすることができる。この様にして部分的抑止は集積回路が停止していないことを確認することができる。
最終的抑止はさらに全面的とすることができる。この場合、集積回路は何もせず、如何なる場合にも、停止した集積回路と区別することができない。
【図１】
0004078462.tif 000003
【図２】
0004078462.tif 000004